(57)【要約】【課題】  冊子の種類を限定せずに収納した多数の冊子から1部ずつ提供する構成を有し、消費者の関心を誘いやすい情報表示機能を付加した冊子配布ラックを提供する。【解決手段】  区画122は底面板131上に複数の冊子22を水平に積層して収納する空間であり、この区画122の前面側に向けて下り勾配の背当て板151をこの底面板131の背面側に設け、冊子21を１部ずつ取り出せる取出口をこの底面板131との隙間により形成する押さえ板161をこの底面板131の前面側に設けてなり、押さえ板161は背当て板151に略平行な下り勾配を有し、前記背当て板151に従って前面側へ突き出される最下層の冊子21の上面に、前記押さえ板161の下縁部162を当接させる冊子配布ラックである。【選択図】  図４
2007075298.tif 000002
【特許請求の範囲】
【請求項１】
ラック本体に上下又は左右に並ぶ複数の区画を有し、各区画それぞれに収納した複数の冊子から１部ずつ冊子を取り出せるようにした冊子配布ラックにおいて、
前記区画は底面板上に複数の冊子を水平に積層して収納する空間であり、
該区画の前面側に向けて下り勾配の背当て板を該底面板の背面側に設け、
冊子を１部ずつ取り出せる取出口を該底面板との隙間により形成する押さえ板を該底面板の前面側に設けてなり、
押さえ板は背当て板に略平行な下り勾配を有し、前記背当て板に従って前面側へ突き出される最下層の冊子の上面に、前記押さえ板の下縁部を当接させることを特徴とする冊子配布ラック。
【請求項２】
区画は、底面板に対して前後位置を調整自在な背当て板を取り付けた請求項１記載の冊子配布ラック。
【請求項３】
区画は、底面板に対して上下位置及び傾きを調整自在な押さえ板を設けた請求項１又は２いずれか記載の冊子配布ラック。
【請求項４】
区画は、部分的に切り欠いた下縁部を有する押さえ板を底面板に対して設けた請求項１〜３いずれか記載の冊子配布ラック。
【請求項５】
区画は、押さえ板の上縁部から上段の区画を構成する底面板に至る範囲に、冊子を立ち姿勢で保持する表示板を設けた請求項１〜４いずれか記載の冊子配布ラック。
【請求項６】
ラック本体は、区画以外の部位に表示部を設けると共に、単数又は複数の区画に対応する人体感知センサを設けてなり、前記人体感知センサが消費者の接近を感知することにより、該人体感知センサに対応する単数又は複数の区画に収納した冊子の関連情報を表示部が表示する請求項１〜５いずれか記載の冊子配布ラック。
【請求項７】
ラック本体は、区画以外の部位に表示部を設けると共に、単数又は複数の区画に対応する作動スイッチを設けてなり、前記作動スイッチを消費者が押すことにより、該作動スイッチに対応する単数又は複数の区画に収納した冊子の関連情報を表示部が表示する請求項１〜５いずれか記載の冊子配布ラック。
【発明の詳細な説明】
【技術分野】
【０００１】
本発明は、複数ページからなるカタログ、パンフレットやフリーペーパー等、印刷された冊子又は小冊子（以下、「冊子」で代表する）を収納し、消費者に取り出させて前記冊子を配布する冊子配布ラックに関する。
【背景技術】
【０００２】
消費者に無料配布する冊子は、通常、多数の冊子を種類毎にまとめて冊子配布ラックの区画された収納部に立てて収納し、一番手前の冊子により消費者に冊子の種類を識別させ、前記収納した冊子の中から任意に消費者に取り出させる。しかし、こうした冊子配布ラックの場合、収納したすべての冊子が露出しているほか、消費者が冊子を選り好んで取り出し、そのまま戻す等、冊子が汚れやすい問題がある。そこで、特許文献1では、取り出す冊子（薄厚の商品）のみを消費者が取り出せるようにした冊子配布ラック（商品陳列台）を提案している。
【０００３】
また、単純に多数の冊子を収納して提供するだけでは、消費者が無関心となり、冊子をより多く配布するという目的が達成できないことから、特許文献2に見られるように、冊子を収納する収納部のほか、文字情報、動画又は静止画を表示する表示器を備えた冊子配布ラック（表示器付広告ラック）を提案している。この冊子配布ラックは、表示器が表示する文字情報、動画又は静止画の内容に対応する冊子の収納部を他の収納部より強調することで、積極的に消費者の関心を誘うようにしている。
【０００４】
【特許文献１】特開2003-093205公報
【特許文献２】特開2002-278487公報
【発明の開示】
【発明が解決しようとする課題】
【０００５】
特許文献1の冊子配布ラックは、収納した多数の冊子すべてが汚れることを防ぎ、しかも冊子を一部ずつ取り出せるようにした点で優れている。しかし、この冊子を一部ずつ取り出すためにすべての冊子を傾斜した底面に並べ、しかも一番奥の冊子を常に押圧部材で押す収納態様を採用している。しかし、こうした収納態様は冊子を常に前に押し出す負荷がかかっており、また冊子が比較的薄いカタログやパンフレットの場合、傾斜した底面に対してカタログやパンフレットが立ち姿勢を維持しずらく、長期間にわたる収納においては、前記カタログやパンフレットが折れ曲がる虞がある。
【０００６】
また、特許文献2の冊子配布ラックは、冊子に対する情報を表示器により提供する点で、いわば能動的な情報提供を実現している点で優れいている。しかし、前記表示器に表示される内容と冊子との対応付けは、冊子を配布、提供する側が決定するため、必ずしも消費者の要望と前記対応付けとが一致するとは限らず、消費者の関心を十分に集めるとは限らない。このように、従来の冊子配布ラックは、それぞれ優れた点はあるものの、利用しうる冊子を限定したり、消費者の関心の誘い方に不十分な点があった。そこで、冊子の種類を限定せずに収納した多数の冊子から1部ずつ提供する構成を有し、消費者の関心を誘いやすい情報表示機能を付加した冊子配布ラックを開発するため、検討した。
【課題を解決するための手段】
【０００７】
検討の結果開発したものが、ラック本体に上下又は左右に並ぶ複数の区画を有し、各区画それぞれに収納した複数の冊子から１部ずつ冊子を取り出せるようにした冊子配布ラックにおいて、前記区画は底面板上に複数の冊子を水平に積層して収納する空間であり、この区画の前面側に向けて下り勾配の背当て板をこの底面板の背面側に設け、冊子を１部ずつ取り出せる取出口をこの底面板との隙間により形成する押さえ板をこの底面板の前面側に設けてなり、押さえ板は背当て板に略平行な下り勾配を有し、前記背当て板に従って前面側へ突き出される最下層の冊子の上面に、前記押さえ板の下縁部を当接させる冊子配布ラックである。
【０００８】
本発明の冊子配布ラックは、各区画に複数の冊子を水平に積層して収納できるため、冊子が薄くても折れ曲がる虞がない。背当て板は、積層された冊子の下層を前面側に向けて少しずつずらして押し出す。押さえ板は、下縁部を上面に当接させた最下層の冊子のみを取出口から突出させ、この最下層の冊子より上に積層した冊子の飛び出しを防ぎ、最下層の冊子のみが１部ずつ取り出せるようにする。ここで、押さえ板は背当て板と略平行な下り勾配を有しているから、背当て板に押し出される積層した冊子が少しずつ前面側にずれて押し出されることを妨げず、むしろ背当て板に対となって積層された冊子を案内し、各冊子を平行にずらす。最下層の冊子を取り出すと、すぐ上の冊子が前記取り出した冊子との摩擦により引き出され、新たな最下層の冊子として取出口から突出する。
【０００９】
本発明の冊子配布ラックにおける区画は、底面板に対して前後位置を調整自在な背当て板を取り付けることで、冊子の大きさ（高さ又は幅）に合わせて背当て板を前面側に寄せることができ、確実に最下層の冊子のみを取出口から突出させることができる。同様に、区画は、底面板に対して上下位置及び傾きを調整自在な押さえ板を設けることにより、冊子の厚みに合わせて押さえ板と底面板とが形成する開口部の厚みを加減し、また取出口から飛び出す冊子に合わせて下縁部が適切に当接するように押さえ板の傾きを調整することができ、確実に最下層の冊子のみを取出口から突出させることができる。
【００１０】
ここで、押さえ板の下縁部が冊子の幅方向全体に当接していると、最下層の冊子が飛び出していても取り出しにくくなる虞がある。そこで、区画は、部分的に切り欠いた下縁部を有する押さえ板を底面板に対して設けるとよい。冊子の幅方向中央部分を切り欠いた下縁部は、前記切欠から覗く冊子を指で挟むようにして取り出せるようにする。また、冊子の幅方向端部分を切り欠いた下縁部は、特に冊子の膨らむとじ代部分の引っ掛かりをなくし、冊子を取り出しやすくする。
【００１１】
本発明の冊子配布ラックでは、各区画に積層して収納した冊子を最下層から１部ずつ取り出せればよく、最下層の冊子から上の冊子は押さえ板により飛び出しを防げるため、必ずしも前面板は必要ない。しかし、上下段の区画の間における空き空間を有効に利用するには、区画は、押さえ板の上縁部から上段の区画を構成する底面板に至る範囲に、冊子を立ち姿勢で保持する表示板を設けるとよい。この表示板は、下段の区画に積層して収納する冊子を保持させる。
【００１２】
本発明の冊子配布ラックは、水平に積層した冊子を１部ずつ取り出せるようにし、冊子を配布する側の利用者にとって利便性を高めている。更に、消費者に対する利便性を高めるには、ラック本体は、区画以外の部位に表示部を設けると共に、単数又は複数の区画に対応する人体感知センサを設けてなり、前記人体感知センサが消費者の接近を感知することにより、この人体感知センサに対応する単数又は複数の区画に収納した冊子の関連情報を表示する構成にするとよい。表示部は、静止画又は動画のほか、音声情報も流すことができる。これにより、消費者が興味を持って接近する冊子に応じた関連情報を表示部に表示でき、前記消費者の関心をより高めることができる。人体感知センサに代えて、消費者に押させる作動スイッチを用いてもよい。
【発明の効果】
【００１３】
本発明の冊子配布ラックにより、大きさ及び厚さの異なる様々なカタログ、パンフレットやフリーペーパー等、印刷された冊子又は小冊子を変形させずに長期収納しながら、確実に１部ずつ提供できる効果が得られる。また、消費者が興味を持って接近する冊子に応じた関連情報を表示部に表示できることにより、前記消費者の関心をより高めることができ、消費者に冊子を取り出させる機会を増やし、より多くの消費者に冊子を配布する目的をよりよく達成できる効果も得られる。
【発明を実施するための最良の形態】
【００１４】
以下、本発明の実施形態について図を参照しながら説明する。図１は本発明に基づく冊子配布ラックの一例を表す正面図、図２は図１中Ａ−Ａ断面図、図３は図１中Ｂ−Ｂ断面図であり、図４は図２中上段の区画における最下層の冊子を取り出す状態を表した拡大断面図である。説明の便宜上、特段断りのない限り、構造を説明には大きな区画122を例に利用する。
【００１５】
本例の冊子配布ラックは、図１〜図３に見られるように、金属製の側板111、中央仕切板112、天井板113及び背面板114に囲まれた左右２つの空間を形成するラック本体１の前記各空間に、複数の底面板131及び仕切板132を取り付けて複数の区画121,122を形成している。ラック本体１は、キャスタ116により移動自在である。本例の区画121,122は、正面から見て左右に４列、左２列は下から小さな区画121が３段、大きな区画122が１段、そして小さな区画121が１段でまた右２列は下から小さな区画121が３段、大きな区画122が２段である。各区画121,122の大きさや並び順については任意でよい。このほか、本例の冊子配布ラックは、左の列の最上段に、表示部を構成するモニタ141及びスピーカ142を設けている。
【００１６】
本例の各区画121,122は、高さ方向こそ大小の２種類であるが、いずれも幅及び奥行は同じである。仕切り板132は、側板111及び中央仕切板112に挟まれた各空間内で並ぶ区画122,122を形成するため、底面板131の左右中央に立設している。本例の仕切板132は、区画122,122の大小を問わず共通の樹脂板（アクリル板）で、各区画122の奥行き長さの略半分で、小さい区画121相当の高さを有している。この仕切板132は、ラック本体１に形成される空間を適宜区切って区画121,122を構成するものであればよく、中央仕切板112のように、ラック本体１を構成する分離不能な板材によって構成してもよい。
【００１７】
本例では、左２列又は右２列に並ぶ２つの区画122,122を１組として、それぞれ１つの背当て板151及び押さえ板161を設けている。背当て板151は、可倒性及び弾力性を備えた樹脂又は金属製の板材で、各区画122の底面板131に設けたスリット133に下縁に設けた突片152を差し込み、上縁を背面板114に当接させて、下方に向けて凸に湾曲した配り勾配を有している。これにより、区画122を構成する底面板131上へ水平に積層した冊子21,22は、前記背当て板151の湾曲に沿って下層に至るに連れて前面側に少しずつ押し出されることになる。本例では、底面板131に複数のスリット133を設けることにより、冊子の大きさや種類によって、底面板131から繋がる下り勾配の背当て板151の位置を調整自在にしている。
【００１８】
押さえ板161は、上記背当て板151に略平行な下り勾配を有する樹脂成形板で、前面側に突出する下縁部162に取出切欠163及び角部切欠164を設けている。押さえ板161は、図４に見られるように、底面板131と下縁部162との隙間により取出口165を形成している。この押さえ板161は、上記背当て板151によって押し出された最下層の冊子21のみを前記取出口165から飛び出させながら、下縁部162をこの最下層の冊子21の上面に当接させて押さえ、最下層の冊子21が自然落下することを防止する。また、この押さえ板161は、背当て板151と略平行な下り勾配を有していることから、背当て板151に従って少しずつ押し出された最下層より上の冊子22が飛び出ることを防止する。これから、可倒性及び弾力性を備える背当て板151に対し、この押さえ板161は、押し出される冊子22に対抗する剛性を有することが望ましい。
【００１９】
本例の押さえ板161は、図４に見られるように、左右の区画122,122を横断して側板111及び中央仕切板112にわたって架設した支持棒166に、上縁に設けた断面鉤状の取付部167を上から被せて、固定する。既述したように、押さえ板161は押し出される冊子22に対抗する剛性が必要なことから、支持棒166に対する押さえ板161の姿勢を保持できるように、支持棒166は断面四角形、取付部167は前記支持棒166に背面側斜め上方から宛てがう断面Ｌ字状で、支持棒166に宛てがった取付部167に断面コ字状のチャンネル材169を嵌め込んで固定している（図４参照）。更に、本例の支持棒166は、側板111及び中央仕切板112に設けた上下方向の長孔168の範囲内で上下位置及び傾きを自在に変更できるようにし、この支持棒166に取付部167を固定する押さえ板161の高さ及び姿勢を調整自在にしている。これにより、押さえ板161の下縁部162と底面板131との隙間により形成される取出口165の大きさを調整できる。
【００２０】
押さえ板161の取出切欠163は、底面板131と押さえ板161の下縁部162との隙間によって形成される取出口165から飛び出す最下層の冊子21を取り出しやすくするためのもので、消費者はこの取出切欠163に覗く冊子21を指で挟むことにより、容易に前記冊子21を取り出せる。また、角部切欠164は、取り出す冊子21のとじ代が押さえ板161にひっかからないようにする部分である。本例では中央仕切板112を胯いで、左の区画122は右側に、右の区画122は左側に角部切欠164を設けることとし、前記両角部切欠164を共通に設けている。これにより、表紙を上側にして右にとじ代が来る冊子21は左の区画122に、また表紙を上側にして左にとじ代が来る冊子21は右の区画122に収納することにより、各冊子21は押さえ板161にとじ代がぶつかることなく取り出せるようになる。
【００２１】
また、本例の冊子配布ラックは、正面から見て左側２列の区画121,122の並びにおける最上段に、表示部を構成するモニタ141及びスピーカー142を設け、このモニタ141又はスピーカー142の作動させるための人体感知センサ143や作動スイッチ144を、いくつかの区画121,122に対応して設けている。人体感知センサ143は、従来公知の各種センサを用いることができる。また、作動スイッチ144は、一度押すと自律的に原位置に復帰するタイプが好ましい。これら人体感知センサ143又は作動スイッチ144は、作動信号を発信し、前記作動信号を受けたモニタ141が所定の動画又は静止画を表示し、またスピーカー142から所定の音声、音楽又は効果音等を流す。
【００２２】
人体感知センサ143は、横に並ぶ２つの区画122,122に対応して、角部切欠164の上方、押さえ板161中央に設けており、この押さえ板161の前面に立つ消費者を感知すると、作動信号を発信する。また、作動スイッチ144は、押さえ板161の端に設けており、消費者がこの作動スイッチ144を押すことにより、作動信号を発信する。作動信号を受けたモニタ141及びスピーカー142は、作動信号を送信してきた人体感知センサ143又は作動スイッチ144を設けた押さえ板161を有する区画121,122に収納した冊子21の関連情報をモニタ141に表示し、またスピーカ142から流す。こうした冊子21の関連情報は、常時表示又は流されるわけではない。そこで、関連情報を表示又は流す場合以外は、モニタ141又はスピーカー142で宣伝情報（例えばCM等）を表示又は流すとよい。このほか、モニタ141又はスピーカー142は、外部信号を受けて特別情報（例えば告知情報等）を表示又は流してもよい。
【００２３】
このほか、本例の冊子配布ラックは、下段の区画122に設けた押さえ板161の上縁部から上段の区画122を構成する底面板131にわたる範囲を有効利用するため、前記範囲に冊子23を立ち姿勢で保持する表示板171を設けている。本例の表示板171は、上段の区画122を構成する底面板131に沿って、側板111及び中央仕切板112にわたって回動軸172を架設し、各区画122に対応して個別に前記回動軸172へ回動自在に取り付けた透明な樹脂板からなり、下縁部を押さえ板161の上縁部に前面側から当接させ、前面側に持ち上げるように開閉する区画122の扉を兼ねている。冊子22が配布され、収納数が減った場合、この表示板171を開いて冊子22を補充する。表示板171の上縁部及び下縁部は、内向きに折り返したクリップ173を構成しており、各区画122に収納した種類の冊子23を挟み込んで内側に保持できる。これにより、冊子23を汚さずに各区画122に収納した冊子22の種類を消費者に示すことができる。
【００２４】
本例の冊子配布ラックの使用態様について説明する。まず、各区画121,122に収納する冊子22に合わせて、背当て板151及び押さえ板161を取り付ける。背当て板151は、区画122に対する冊子22の奥行き＝高さに合わせて、底面板131のスリット133を選択して突片152を差し込み、取り付ける。また、押さえ板161は、長孔168の範囲内で高さ及び傾きを調整した支持棒166に取付部167を固定して、取り付ける。支持棒166の高さ及び傾きは、底面板131と下縁部162との隙間により形成する取出口165が、冊子21の厚みに相当するように、調整する。
【００２５】
冊子22は、上述のように背当て板151及び押さえ板161を取り付けた区画122に、複数を水平に積層して収納する。この場合、冊子22の種類に応じ、表紙を上向きにしてとじ代が押さえ板161の角部切欠164に対応する区画122を選択する。上述したように、各区画121,122の幅及び奥行きは同じであるため、各冊子22の厚み及び配布必要数に応じて、収納する区画121,122の大小を決定する。背当て板151は、各冊子22を適度に押し出せるように前面側へ向けて下り勾配を有しているので、各区画122に収納した冊子22は、下層に向かって前面側に少しずつ押し出されるように積層される。そして、最下層の冊子21のみが、取出口165から突出する。
【００２６】
本例では、各区画122に収納した冊子23の１部を保持させた表示板171により、下段の区画122の押さえ板161の上縁部から上段の区画の底面板131又は天井板113までの範囲を塞ぐ。これにより、各区画122に収納した冊子22を、表示板171が保持する冊子23により消費者に示すことができるほか、区画122内へ埃等が侵入する虞を軽減できる。表示板171は、前面側に持ち上げて区画122の前面側を開放でき、各区画122に収納する冊子22を交換する等以外は、この表示板171を開いて冊子22を補充すればよい。表示板171は、回動軸172に対して着脱自在であるから、例えば各区画122に収納する冊子22を交換する場合、予め交換後の冊子23を保持させた予備の表示板171と、現在使用中の表示板171とを交換してもよい。
【００２７】
こうして各区画122に冊子22を収納した冊子配布ラックに消費者が接近すると、まず人体感知センサ143が消費者の接近を感知して作動信号を発信し、この人体感知センサ143を設けた押さえ板161に対応する区画122に収納した冊子22の関連情報として、モニタ141に静止画又は動画を表示し、またスピーカー142から音声、音楽又は効果音を流し、消費者が接近した区画122に収納した冊子22についての関心を促す。また、消費者が積極的に押した作動スイッチ144が作動信号を発信すると、この作動スイッチ144を設けた押さえ板161に対応する区画122に収納した冊子22の関連情報として、モニタ141に静止画又は動画を表示し、またスピーカー142から音声、音楽又は効果音を流し、消費者が押した作動スイッチ144に対応した区画122に収納した冊子22についての関心を促す。
【００２８】
消費者は、各区画122の取出口165から飛び出た冊子21を、各押さえ板161の取出切欠163から覗く範囲を指で摘むようにして、取り出せる。このとき、最下層より上の冊子22は、押さえ板161に規制されて、取出口165から取り出されることはない。しかし、複数の冊子22が積層されている結果、最下層の冊子21とその上の冊子22との間に摩擦力が働いており、最下層の冊子21の取出に応じてその上の冊子22も前面側に向けて引き出される。この結果、取り出された最下層の冊子21に引き出されて、その上の冊子22が１冊のみ、新たに取出口165からわずかに突出する。これを繰り返すことにより、水平に積層された冊子22は順次取出口165から突出し、確実に１部ずつ配布することができる。
【００２９】
冊子22をより広く配布するには、消費者を冊子配布ラックに注目させるとよい。これから、表示部を構成するモニタ141及びスピーカー142は、人体感知センサ143又は作動スイッチ144から作動信号が発信されてくる以外の時間に、消費者の関心を惹く宣伝情報（例えばCM等）や特別情報（例えば告知情報等）を表示したり、流したりするとよい。この場合、例えば宣伝情報は作動信号が発信されるまでの間、定常的に表示又は流し、外部信号を発信されたときのみ特別情報を表示又は流すようにするとよい。また、上記関連情報や前記宣伝情報又は特別情報にアンケートを盛り込み、ラック本体１の側面に付加した投票ケース115に前記アンケートの回答を投函させる等、消費者の関心を惹くことも考えられる。
【図面の簡単な説明】
【００３０】
【図１】本発明に基づく冊子配布ラックの一例を表す正面図である。
【図２】図１中Ａ−Ａ断面図である。
【図３】図１中Ｂ−Ｂ断面図である。
【図４】図２中上段の区画における最下層の冊子を取り出す状態を表した拡大断面図である。
【符号の説明】
【００３１】
１  ラック本体
121  小さな区画
122  大きな区画
131  底面板
132  仕切板
141  モニタ
142  スピーカー
143  人体感知センサ
144  作動スイッチ
151  背当て板
161  押さえ板
162  下縁部
163  取出切欠
164  角部切欠
165  取出口
171  表示板
21  最下層の冊子
22  最下層より上の冊子（各区画に収納する冊子）
23  表示板に保持する冊子
【図１】
2007075298.tif 000003
【図２】
2007075298.tif 000004
【図３】
2007075298.tif 000005
【図４】
2007075298.tif 000006